(57)【要約】【課題】同一の利用者が車両を利用する際において複数の利用形態での利用を可能にするとともに、当該利用形態毎に切り分けて当該車両の利用に関する管理を行うことを可能にする。【解決手段】複数の利用者により車両を共用するカーシェアリングシステムにおいて、システム運用者のシステムサーバーと、通信回線を介してシステムサーバーと通信可能に接続されるとともに車両に搭載された車載器と、車載器に接続されるとともに車両に搭載されたカードリーダーと、同一人に対して発行されたアカウントがそれぞれ異なる複数のＩＣカードとを有し、システムサーバーは、カードリーダーに複数のＩＣカードのいずれかが読み込まれると、車載器を介して送られたカードリーダーが読み込んだＩＣカードのアカウントに応じて情報を処理する。【選択図】        図１
2020064386.tif 000002
【特許請求の範囲】
【請求項１】
複数の利用者により車両を共用するカーシェアリングシステムにおいて、
システム運用者のシステムサーバーと、
通信回線を介して前記システムサーバーと通信可能に接続されるとともに車両に搭載された車載器と、
前記車載器に接続されるとともに前記車両に搭載されたカードリーダーと、
同一人に対して発行されたアカウントがそれぞれ異なる複数のＩＣカードと
を有し、
前記システムサーバーは、前記カードリーダーに前記複数のＩＣカードのいずれかが読み込まれると、前記車載器を介して送られた前記カードリーダーが読み込んだ前記ＩＣカードのアカウントに応じて情報を処理する
ことを特徴とするカーシェアリングシステム。
【請求項２】
請求項１に記載のカーシェアリングシステムにおいて、
前記車両は社有車であり、
前記同一人は従業員である
ことを特徴とするカーシェアリングシステム。
【請求項３】
請求項１または請求項２のいずれか１項に記載のカーシェアリングシステムにおいて、
前記システムサーバーは、前記アカウントに応じて課金に関する情報を処理する
ことを特徴とするカーシェアリングシステム。
【請求項４】
複数の利用者により車両を共用するカーシェアリング方法において、
システム運用者のシステムサーバーと、
通信回線を介して前記システムサーバーと通信可能に接続されるとともに車両に搭載された車載器と、
前記車載器に接続されるとともに前記車両に搭載されたカードリーダーと、
同一人に対して発行されたアカウントがそれぞれ異なる複数のＩＣカードと
を有するカーシェアリング方法であって、
前記システムサーバーは、前記カードリーダーに前記複数のＩＣカードのいずれかが読み込まれると、前記車載器を介して送られた前記カードリーダーが読み込んだ前記ＩＣカードのアカウントに応じて情報を処理する
ことを特徴とするカーシェアリング方法。
【請求項５】
請求項４に記載のカーシェアリング方法において、
前記車両は社有車であり、
前記同一人は従業員である
ことを特徴とするカーシェアリング方法。
【請求項６】
請求項４または請求項５のいずれか１項に記載のカーシェアリング方法において、
前記システムサーバーは、前記アカウントに応じて課金に関する情報を処理する
ことを特徴とするカーシェアリング方法。
【発明の詳細な説明】
【技術分野】
【０００１】
本発明は、カーシェアリングシステムおよびカーシェアリング方法に関する。
【背景技術】
【０００２】
複数の利用者が車両を共用する利用形態の一例として、例えば、特開２００４−１７８３８５号公報に開示されているように、車両たる自動車を複数の会員が共同で利用する、所謂、カーシェアリングシステムが知られている。
【０００３】
こうしたカーシェアリングシステムでは、システムを運用する事業者（システム運用者）が車載器を搭載した車両たる自動車を準備し、当該事業者が当該車両を会員登録済みの複数の利用者に提供するものである。
【０００４】
ここで、車載器とは、カーシェリングシステムにより車両を管理するために当該車両に搭載した管理装置であり、携帯電話網やインターネットなどの通信回線を介してシステム運用者のシステムサーバーと通信可能に接続されている。
【０００５】
また、車両には、車載器に接続されたカードリーダーが搭載されており、車両を利用する利用者は会員登録済みのＩＣカードを当該カードリーダーに読み込ませる。
【０００６】
カードリーダーに読み込まれたＩＣカードの情報は、車載器を介してシステムサーバーへ送られ、システムサーバーにおいて当該情報の処理が行われた後に、車両のドアが解錠されてイグニッションキーの取り出しが可能となり、利用者への車両の受け渡しが行われる。
【０００７】
また、受け渡された車両を利用した利用者に対しては、当該車両の利用に応じた費用を請求するための課金処理などが行われる。
【０００８】
従来のカーシェアリングシステムにおける処理は、上記の通りであるが、従来のカーシェアリングシステムにおいては、ある利用者がある車両を利用する際における課金処理などの利用形態は単一の形態に設定されていたという問題点があった。
【０００９】
また、このため、従来のカーシェアリングシステムの枠組みにおいては、例えば、ある企業や団体などがシステム運用者となり、当該ある企業や団体などが所有する車両（本明細書および本特許請求の範囲においては、「ある企業や団体などが所有する車両」を「社有車」と適宜に称する。）を、当該ある企業や団体などの業務（本明細書および本特許請求の範囲においては、「ある企業や団体などの業務」を「社用」と適宜に称する。）で利用するとともにカーシェアリングに供するようにした場合には、当該企業や団体に所属するある従業員が社用で利用する場合（この場合には、例えば、社有車の利用に伴う従業員への課金は発生しない。）と当該従業員が私用で利用する場合（この場合には、例えば、社有車の利用に伴う従業員への課金が発生する。）とで切り分けて、当該社有車の利用に関する管理を行うことができないという問題点があった。
【先行技術文献】
【特許文献】
【００１０】
【特許文献１】特開２００４−１７８３８５号公報
【発明の概要】
【発明が解決しようとする課題】
【００１１】
本発明は、上記したような従来の技術の問題点に鑑みてなされたものであり、その目的とするところは、同一の利用者が車両を利用する際において複数の利用形態での利用を可能にするとともに、当該利用形態毎に切り分けて当該車両の利用に関する管理を行うことを可能にしたカーシェアリングシステムおよびカーシェアリング方法を提供しようとするものである。
【課題を解決するための手段】
【００１２】
上記目的を達成するために、本発明は、同一の利用者に対してそれぞれアカウントの異なる複数のＩＣカードを発行するようにして、当該複数のＩＣカードのいずれをカードリーダーに読み込ませたかに基づき、システムサーバーにおいて当該読み込ませたＩＣカードのアカウントに応じた情報の処理を行うようにしたものである。
【００１３】
従って、本発明によれば、同一の利用者が車両を利用する際において、ＩＣカードのアカウントに応じた複数の利用形態での利用が可能になる。
【００１４】
また、本発明によれば、システムサーバーにおいては、ＩＣカードのアカウントに応じた利用形態毎に切り分けて、車両の利用に関する管理を行うことができるようになる。
【００１５】
即ち、本発明によるカーシェアリングシステムは、複数の利用者により車両を共用するカーシェアリングシステムにおいて、システム運用者のシステムサーバーと、通信回線を介して上記システムサーバーと通信可能に接続されるとともに車両に搭載された車載器と、上記車載器に接続されるとともに上記車両に搭載されたカードリーダーと、同一人に対して発行されたアカウントがそれぞれ異なる複数のＩＣカードとを有し、上記システムサーバーは、上記カードリーダーに上記複数のＩＣカードのいずれかが読み込まれると、上記車載器を介して送られた上記カードリーダーが読み込んだ上記ＩＣカードのアカウントに応じて情報を処理するようにしたものである。
【００１６】
また、本発明によるカーシェアリングシステムは、上記した本発明によるカーシェアリングシステムにおいて、上記車両は社有車であり、上記同一人は従業員であるようにしたものである。
【００１７】
また、本発明によるカーシェアリングシステムは、上記した本発明によるカーシェアリングシステムにおいて、上記システムサーバーは、上記アカウントに応じて課金に関する情報を処理するようにしたものである。
【００１８】
また、本発明によるカーシェアリング方法は、複数の利用者により車両を共用するカーシェアリング方法において、システム運用者のシステムサーバーと、通信回線を介して上記システムサーバーと通信可能に接続されるとともに車両に搭載された車載器と、上記車載器に接続されるとともに上記車両に搭載されたカードリーダーと、同一人に対して発行されたアカウントがそれぞれ異なる複数のＩＣカードとを有するカーシェアリング方法であって、上記システムサーバーは、上記カードリーダーに上記複数のＩＣカードのいずれかが読み込まれると、上記車載器を介して送られた上記カードリーダーが読み込んだ上記ＩＣカードのアカウントに応じて情報を処理するようにしたものである。
【００１９】
また、本発明によるカーシェアリング方法は、上記した本発明によるカーシェアリング方法において、上記車両は社有車であり、上記同一人は従業員であるようにしたものである。
【００２０】
また、本発明によるカーシェアリング方法は、上記した本発明によるカーシェアリング方法において、上記システムサーバーは、上記アカウントに応じて課金に関する情報を処理するようにしたものである。
【発明の効果】
【００２１】
本発明は、以上説明したように構成されているので、同一の利用者が車両を利用する際において複数の利用形態での利用が可能になるとともに、当該利用形態毎に切り分けて当該車両の利用に関する管理を行うことが可能になるという優れた効果を奏する。
【図面の簡単な説明】
【００２２】
【図１】図１は、本発明の実施の形態の一例によるカーシェアリングシステムを示す説明図である。
【図２】図２は、図１に示すカーシェアリングシステムで用いるＩＣカードの概念説明図である。
【図３】図３は、図１に示すカーシェアリングシステムにおけるシステムサーバーの本発明の実施に関連する処理を示すフローチャートである。
【発明を実施するための形態】
【００２３】
以下、添付の図面を参照しながら、本発明によるカーシェアリングシステムおよびカーシェアリング方法の実施の形態の一例を詳細に説明するものとする。
【００２４】
図１には、本発明によるカーシェアリングシステムの実施の形態の一例を示す説明図があらわされている。
【００２５】
この図１に示すカーシェアリングシステム１０は、システム運用者（例えば、ある企業や団体などのシステム運用者である。）のシステムサーバー１２と、携帯電話網やインターネットなどの通信回線を介してシステムサーバー１２と通信可能に接続されるとともに車両（例えば、ある企業や団体などの社有車である。）１４に搭載された車載器１６と、車載器１６に接続されるとともに車両１４に搭載されたカードリーダー１８とを有して構成されている。
【００２６】
車載器１６は、車両１４のドアの解錠ならびに施錠を含む、車両１４に関する各種の処理を制御する。
【００２７】
カードリーダー１８は、ＩＣカード２０ＡまたはＩＣカード２０Ｂを読み込む。カードリーダー１８に読み込まれたＩＣカード２０ＡまたはＩＣカード２０Ｂの情報は、車載器１６を介してシステムサーバー１２へ送られる。
【００２８】
システムサーバー１２は、車載器１６を介して送られたＩＣカード２０ＡまたはＩＣカード２０Ｂの情報を処理した後に、各種の情報を車載器１６へ出力する。なお、こうした各種の情報には、車両１４のドアの解錠ならびに施錠を含む処理を行うための情報が含まれる。
【００２９】
また、本実施の形態においては、システムサーバー１２は、車両１４を利用した利用者に対して、車両１４の利用に応じた費用を請求するための課金処理などの各種の処理を行う。
【００３０】
ここで、ＩＣカード２０ＡならびにＩＣカード２０Ｂは、システム運用者が会員登録時（システム運用者がある企業や団体などの場合には、例えば、ある企業や団体などへの従業員の入社時などである。）に会員（システム運用者がある企業や団体などの場合には、例えば、当該企業や団体などの従業員である。）に配布したＩＣカードである。
【００３１】
より詳細には、ＩＣカード２０ＡとＩＣカード２０Ｂとは、例えば図２に示すように、ある企業や団体などのシステム運用者が一人の従業員Ｐに対してそれぞれ発行したＩＣカードである。
【００３２】
ＩＣカードＡには、アカウントとしてアカウントＡが設定されている。このＩＣカードＡは、例えば、従業員Ｐが車両１４を社用として利用する場合に用いるものである。本実施の形態においては、ＩＣカードＡのアカウントＡによりシステムサーバー１２が情報の処理を行う場合には、車両１４の利用に伴う従業員Ｐへの課金は発生しないものとする。
【００３３】
一方、ＩＣカードＢには、アカウントとしてアカウントＢが設定されている。このＩＣカードＢは、例えば、従業員Ｐが車両１４を私用として利用する場合に用いるものである。本実施の形態においては、ＩＣカードＢのアカウントＢによりシステムサーバー１２が情報の処理を行う場合には、車両１４の利用に伴う従業員Ｐへの課金が発生する。
【００３４】
以上の構成において、カーシェアリングシステム１０においては、従業員Ｐは、ＩＣカード２０ＡのアカウントＡまたはＩＣカード２０ＢのアカウントＢを用いて車両１４の利用の予約をする。
【００３５】
従業員Ｐが車両１４の利用を予約した時間が到来すると、システムサーバー１２は、車載器１６を介してカードリーダー１８を起動する。
【００３６】
なお、カードリーダー１８は、カードリーダー１８に設けられたタッチセンサー（図示せず。）に触れることにより起動することもできるように構成されているので、従業員Ｐは当該タッチセンサーに触れることによりカードリーダー１８を起動してもよい。
【００３７】
カードリーダー１８が起動されると、カードリーダー１８は予約に用いられたアカウントのＩＣカード２０ＡまたはＩＣカード２０Ｂの情報を読み込み可能となり、カードリーダー１８が読み込んだ情報は車載器１６を介してシステムサーバー１２へ送られる。
【００３８】
車載器１６を介してカードリーダー１８が読み込んだ情報を送られたシステムサーバー１２は、図３のフローチャートに示す処理を実行する。
【００３９】
即ち、システムサーバー１２は、車載器１６を介してカードリーダー１８が読み込んだアカウントがアカウントＡであるかアカウントＢであるかを判定する（ステップＳ３０２）。
【００４０】
そして、ステップＳ３０２においてアカウントＡであると判定された場合には、ステップＳ３０４の処理へ進んで、アカウントＡについての各種の処理を行う。なお、本実施の形態においては、車両１４の利用に伴う従業員Ｐへの課金処理は行われず、従業員Ｐに対して課金されることはない。
【００４１】
一方、ステップＳ３０２においてアカウントＢであると判定された場合には、ステップＳ３０６の処理へ進んで、アカウントＢについての各種の処理を行う。なお、本実施の形態においては、車両１４の利用に伴う従業員Ｐへの課金処理が行われて、従業員Ｐに対して課金される。
【００４２】
以上において説明したように、カーシェアリングシステム１０によれば、同一の利用者（従業員Ｐ）に対してそれぞれアカウントの異なる複数のＩＣカード（ＩＣカード２０ＡおよびＩＣカード２０Ｂ）を発行して、ＩＣカード２０ＡとＩＣカード２０Ｂとのいずれをカードリーダー１８に読み込ませたかに基づき、システムサーバー１２において当該読み込ませたＩＣカードのアカウントに応じた情報の処理を行うようにしている。
【００４３】
従って、カーシェアリングシステム１０によれば、同一の利用者（従業員Ｐ）が車両を利用する際において、ＩＣカード２０ＡのアカウントＡに応じた従業員Ｐへの課金処理が行われない利用形態とＩＣカード２０ＢのアカウントＢに応じた従業員Ｐへの課金処理が行われる利用形態との複数の利用形態での利用が可能になる。
【００４４】
また、カーシェアリングシステム１０によれば、システムサーバー１２においては、ＩＣカード２０ＡのアカウントＡとＩＣカード２０ＢのアカウントＢとに応じた利用形態毎に切り分けて、車両１４（社有車）の利用に関する管理を行うことができるようになる。
【００４５】
なお、上記した各実施の形態は例示に過ぎないものであり、本発明は他の種々の形態で実施することができる。即ち、本発明は、上記した各実施の形態に限定されるものではなく、本発明の要旨を逸脱しない範囲で種々の省略、置き換え、変更などを行うことができる。
【００４６】
例えば、上記した各実施の形態は、以下の（１）乃至（５）に示すように変形するようにしてもよい。
【００４７】
（１）上記した実施の形態においては、一人の利用者（従業員Ｐ）に対してそれぞれアカウントの異なる２枚のＩＣカードを発行した場合について説明したが、これに限られるものではないことは勿論である。例えば、一人の利用者に対してそれぞれアカウントの異なる３枚以上の複数のＩＣカードを発行するようにして、各アカウント毎に利用形態を異ならせるようにしてもよい。
【００４８】
（２）上記した実施の形態においては、従業員ＰがＩＣカード２０Ａを利用してアカウントＡの処理を行った際には、従業員Ｐに対して課金が発生しないようにしたが、これに限られるものではないことは勿論である。例えば、従業員ＰがＩＣカード２０Ａを利用してアカウントＡの処理を行った際には、従業員ＰがＩＣカード２０Ｂを利用してアカウントＢの処理を行った際よりも少額の金額を課金するようにしてもよい。
【００４９】
（３）上記した実施の形態においては、複数の利用形態の一例として、利用者（従業員Ｐ）に対する課金の有無について説明したが、複数の利用形態はこれに限られるものではないことは勿論である。複数の利用形態として、例えば、車両１４の利用時間の制限や走行距離の制限などを複数の区分に分けて設けるようにしてもよい。
【００５０】
（４）上記した実施の形態においては、システム運用者がシステムサーバー１２を介して確認することのできる各種の情報についての説明は省略したが、例えば、ＩＣカードのアカウントに応じてシステム運用者が確認することのできる情報の種類を制限するなどしてもよい。
【００５１】
（５）上記した各実施の形態ならびに上記した（１）乃至（４）に示す各実施の形態は、適宜に組み合わせるようにしてもよいことは勿論である。
【産業上の利用可能性】
【００５２】
本発明は、複数の利用者により車両を共用するカーシェアリングシステムに利用することができる。
【符号の説明】
【００５３】
１０    カーシェアリングシステム
１２    システムサーバー
１４    車両（社有車）
１６    車載器
１８    カードリーダー
２０Ａ  アカウントＡのＩＣカード
２０Ｂ  アカウントＢのＩＣカード
Ｐ      従業員
【図１】
2020064386.tif 000003
【図２】
2020064386.tif 000004
【図３】
2020064386.tif 000005